(57)【要約】【課題】本発明は、引戸と固定部との間に指が挟まることを防止しつつ、固定部の見栄えが低下することを抑制する指挟み防止装置を提供する。【解決手段】指挟み防止装置４０は、敷居２３に設けられて引戸１０に向って突出するぶれ止めピン２６と、引戸１０に設けられて、引戸１０に設けられてぶれ止めピン２６を収容する収容溝部１２と、収容溝部１２内に設けられるストッパ５１と、ストッパ５１に設けられてストッパ５１を移動する際に操作される操作部７８と、ストッパ５１を収容するケース５２とカバー５３とブラケット５４とを備える。ストッパ５１は、引戸１０が全閉位置Ｐ１側から全開位置Ｐ２側に向って移動する時に、引戸１０が指挟み防止位置Ｐ５に到達するとぶれ止めピン２６に当接する第２の位置Ｐ４と、移動方向に沿ってぶれ止めピン２６と当接しない第１の位置Ｐ３との間で移動可能である。【選択図】図４
2014118790.tif 000002
【特許請求の範囲】
【請求項１】
引戸と、前記引戸が移動する際に前記引戸に対して相対的に移動する移動部とに設けられる指挟み防止装置であって、
前記移動部に設けられて前記引戸に向って突出する突出部と、
前記引戸に設けられて前記突出部を収容する収容溝部と、
前記収容溝部内に設けられるストッパであって、前記引戸の移動時に前記引戸が指挟み防止位置に到達すると前記突出部に当接する第１の位置と、前記引戸の移動方向に前記突出部と当接しない第２の位置との間で移動可能なストッパと
前記ストッパに設けられる操作部であって、前記ストッパを前記第１の位置と前記第２の位置との間で変位する際に操作される操作部と、
前記ストッパを収容するハウジングであって、外側に面する壁部と、前記壁部に設けられて前記操作部を通す開口部とを備えるハウジングと
を具備することを特徴とする指挟み防止装置。
【請求項２】
前記壁部の内面に対して前記ストッパを接触しない位置に離間する離間手段と
を具備することを特徴とする請求項１に記載の指挟み防止装置。
【請求項３】
前記ストッパにおいて、前記引戸が移動する際に移動方向に前記突出部に当接する部位には、前記引戸の移動に伴って前記突出部を乗り越える乗り越え部が形成される
ことを特徴とする請求項１または２に記載の指挟み防止装置。
【請求項４】
前記ストッパを前記第１の位置に付勢する付勢手段を具備する
ことを特徴とする請求項１〜３のうちのいずれか１項に記載の指挟み防止装置。
【請求項５】
前記ストッパを前記第１，２の位置に選択的に保持する保持手段を具備する
ことを特徴とする請求項１〜４のうちのいずれか１項に記載の指挟み防止装置。
【請求項６】
前記ストッパの移動をガイドするガイド部を具備する
ことを特徴とする請求項１〜５のうちのいずれか１項に記載の指挟み防止装置。
【発明の詳細な説明】
【技術分野】
【０００１】
本発明は、引戸を引く際に、引戸と戸袋などとの間に指を挟むことを防止する指挟み防止装置に関する。
【背景技術】
【０００２】
従来、引戸を引く際に、引戸と戸袋などとの間に指を挟むことを防止するための技術が提案されている。この種の技術では、引手部材は、引戸に対して出没可能に設けられている。引戸を引いて戸袋内内収める際に、引手部材が引戸に対して突出する。引手部材が引戸に対して突出することによって、当該突出した引手部材が戸袋の先端に当接する。
【０００３】
引手部材が戸袋の先端に当接することによって、引戸と戸袋との間に指が挟まることを防止することができる（例えば、特許文献１参照。）。
【先行技術文献】
【特許文献】
【０００４】
【特許文献１】特許第３７７３４８３号公報
【発明の概要】
【発明が解決しようとする課題】
【０００５】
一般的に、戸袋は、木材を材料として形成されている。そして、引手部材は、樹脂や金属などを材料として形成されており、戸袋よりも硬い場合がある。このため、特許文献１に示される技術のように、引手部材を戸袋に当接することによって引戸の移動を停止し、引戸と戸袋との間に指が挟まることを防止する技術であると、引戸の移動速度が速い場合、戸袋に入力される荷重が大きくなり、戸袋が傷つくおそれがある。戸袋の先端が傷つくと、見栄えが悪くなり、好ましくない。
【０００６】
本発明は、指挟みが発生することを防止しつつ、見栄えが低下することを抑制できる指挟み防止装置を提供することを目的とする。
【課題を解決するための手段】
【０００７】
本発明の指挟み防止装置は、引戸と、前記引戸が移動する際に前記引戸に対して相対的に移動する移動部とに設けられる。前記指挟み防止装置は、突出部と、収容溝部と、ストッパと、操作部と、ハウジングとを備える。
【０００８】
前記突出部は、前記移動部に設けられて前記引戸に向って突出する。前記収容溝部は、前記引戸に設けられて前記突出部を収容する。前記ストッパは、前記収容溝部内に設けられる。前記ストッパは、前記引戸の移動時に前記引戸が指挟み防止位置に到達すると前記突出部に当接する第１の位置と、前記引戸の移動方向に前記突出部と当接しない第２の位置との間で移動可能である。前記操作部は、前記ストッパに設けられる。前記操作部は、前記ストッパを前記第１の位置と前記第２の位置との間で変位する際に操作される。前記ハウジングは、前記ストッパを収容する。前記ハウジングは、外側に面する壁部と、前記壁部に設けられて前記操作部を通す開口部とを備える。
【発明の効果】
【０００９】
本発明によれば、指挟みが発生することを防止しつつ、見栄えが低下することを抑制することができる。
【図面の簡単な説明】
【００１０】
【図１】本発明の第１の実施形態に係る指挟み防止装置が設けられる引戸と、同引戸が設置される部位の近傍を示す斜視図。
【図２】図１に示すＦ２−Ｆ２線に沿って示す、同引戸の下端部と、同下端部の近傍を切断した状態を示す断面図。
【図３】同引戸が全開位置にある状態において、同引戸の下端部において移動方向の一端部とその近傍を一部切り欠いて示す斜視図。
【図４】同ストッパ装置が分解された状態を示す斜視図。
【図５】同引戸において同ストッパ装置が固定される部位の近傍を拡大して示す平面図。
【図６】同ストッパ装置のストッパが、第２の位置にある状態を示す平面図。
【図７】同引戸を指挟み防止位置から全開位置まで移動する様子を示す平面図。
【図８】本発明の第２の実施形態に係る指挟み防止装置のストッパ装置を示す分解斜視図。
【図９】指挟み防止位置にある引戸において、同ストッパ装置の近傍を一部切り欠いて示す斜視図。
【図１０】同ストッパ装置のストッパを第２の位置に移動した状態を、図９と同様に示す斜視図。
【図１１】本発明の第３の実施形態に係る指挟み防止装置が設けられる引戸が指挟み防止位置に到達した状態において、ストッパ装置の近傍を示す正面図。
【図１２】同ストッパ装置のぶれ止めピンがストッパの傾斜面上を滑ることによって、同ストッパが同ぶれ止めピンを乗り越えた状態を、図１１と同様に示す正面図。
【図１３】本発明の第４の実施形態に係る指挟み防止装置が設けられる引戸と、その近傍とを一部切り欠いて示す斜視図。
【図１４】本発明の第５の実施形態に係る指挟み防止装置が設けられる、２つの引戸とその近傍とを示す斜視図。
【図１５】本発明の第６の実施形態に係る指挟み防止装置が設けられる引戸が全開位置にある状態においてぶれ止めピンの近傍を移動方向に垂直な平面に沿って切断した状態を示す断面図。
【図１６】本発明の第７の実施形態に係る指挟み防止装置が設けられる２つの引戸とその近傍とを示す正面図。
【図１７】他方の引戸が全開位置にあり、かつ、一方の引戸が全閉位置にある状態を、同指挟み防止装置のストッパ装置の近傍において移動方向に垂直な平面に沿って切断した状態を示す断面図。
【図１８】同一方の引戸が全閉位置にある状態において、同他方の引戸を全開位置側に向って移動したときに同他方の引戸に設けられる突出部が同ストッパ装置のストッパに当接した状態を示す平面図。
【図１９】本発明の第８の実施形態に係る指挟み防止装置が設けられる、引戸とその周囲を示す正面図。
【発明を実施するための形態】
【００１１】
本発明の第１の実施形態に係る指挟み防止装置を、図１〜７を用いて説明する。図１は、指挟み防止装置４０が設けられる、引戸１０と当該引戸１０が設置される部位の近傍を示す斜視図である。まず、引戸１０と、引戸１０の周囲の構造について説明する。図１に示すように、引戸１０は、開口部２０を開閉する。開口部２０は、例えば、壁部２１と、戸袋２２との間に設けられている。
【００１２】
壁部２１と戸袋２２との間には、下部に敷居２３が設けられている。敷居２３には、引戸１０が摺動する敷居溝部２４が形成されている。敷居溝部２４は、壁部２１から戸袋２２に向って延びている。引戸１０の下端部１１は、敷居溝部２４内に収容される。引戸１０の下端部１１が敷居溝部２４内に収容されることによって、引戸１０は、敷居溝部２４に沿って移動する。引戸１０は、開口部２０を全閉する全閉位置Ｐ１と、開口部２０を最大に開く全開位置Ｐ２との間で移動可能である。図１中、全閉位置Ｐ１にある引戸１０を２点鎖線で示している。
【００１３】
図２は、図１に示すＦ２−Ｆ２線に沿って示す、引戸１０の下端部１１と、下端部１１の近傍を示す断面図である。図２は、引戸１０の下端部１１を、引戸１０の移動方向に垂直な平面に沿って切断した状態を示している。図２に示すように、引戸１０の下端部１１には、収容溝部１２が形成されている。収容溝部１２は、引戸１０の移動方向一端から他端まで延びている。
【００１４】
ここで、引戸１０に方向を定義する。引戸１０が開口部２０に設置された状態において、敷居２３側の一端を下端とし、反対側を上端として上下方向を定義Ｖする。引戸１０において引戸１０の移動方向に沿う面の内、一方を前面１３とし、他方を後面１４として、前後方向Ｌを定義する。図１では、手前側の面が前面１３となる。引戸１０の移動方向をＭとする。方向Ｖ，Ｌ，Ｍは、互いに直交する。
【００１５】
図２に示すように、敷居溝部２４は、引戸１０の前後方向に沿う厚みに対して、大きく形成されている。これは、引戸１０をスムーズに移動することができるようにするためである。
【００１６】
敷居溝部２４の底壁部２５には、ぶれ止めピン２６が設けられている。ぶれ止めピン２６は、上方に向かって突出している。ぶれ止めピン２６は、引戸１０の収容溝部１２内に収容される。ぶれ止めピン２６は、本実施形態では一例として、底壁部２５に連結される円柱状の基部２６ａと、基部２６ａの上端に設けられる球体部２６ｂとを備えている。なお、ぶれ止めピン２６は、球体２６ｂを備えない円柱形状であってもよい。ぶれ止めピン２６の大きさと収容溝部１２前後方向の幅の相対関係について、具体的に説明する。
【００１７】
上記のように、敷居溝部２４は、引戸１０がスムーズに移動できるように、引戸１０の厚みに対して大きく形成されている。このため、引戸１０は、敷居溝部２４内において、移動方向に沿って移動することに加えて、前後方向にも移動することができる。
【００１８】
本実施形態では、引戸１０は、木材を材料としている。このため、引戸１０は、引戸１０の周囲の湿気に応じて、反る場合がある。引戸１０が反ると、敷居溝部２４内での引戸１０の位置によっては、後述する戸袋２２内に引戸１０を収容する際に、引戸１０が戸袋２２の開口縁に当接したり、または、引戸１０が戸袋２２の内面に擦ったりする場合がある。
【００１９】
ぶれ止めピン２６は、敷居溝部２４の幅方向中心に配置されている。なお、敷居溝部２４の幅方向は、引戸１０の前後方向に平行である。また、収容溝部１２の前後方向の幅は、ブレ止めピン２６より若干大きい。このため、引戸１０の移動の際に、ぶれ止めピン２６が収容溝部１２の内面に当たることは抑制される。
【００２０】
また、ぶれ止めピン２６は、引戸１０が敷居溝部２４内を前後方向に移動すると、収容溝部１２の内面に接触することによって、敷居溝部２４内での引戸１０の位置を、幅方向中心に保つ。引戸１０が敷居溝部２４の幅方向中心にある状態では、引戸１０が上記のように反った場合であっても、引戸１０が戸袋２２に接触することが抑制される。
【００２１】
図１に示すように、戸袋２２は、引戸１０を収容する。戸袋２２は、引戸１０の前面１３と対向する前壁部２７と、引戸１０の後面１４と対向する後壁部２８と、第１，２の壁部２７，２８とを連結する側壁部２９とを有しており、全閉位置Ｐ１にある引戸１０側の一端が開口する袋形状である。敷居２３は、戸袋２２内にも延びており、引戸１０が全開位置Ｐ２にいたると、引戸１０の全体が戸袋２２内に収容される。
【００２２】
開口部２０の上端部には、鴨居３０が設けられている。図１中では、鴨居３０は、一部省略されており、その前壁部３２が示されている。図１中範囲Ｆ１１内は、引戸１０の上端部１５と鴨居３０とを前後方向Ｌに沿って切断した状態を示している。範囲Ｆ１１内に示すように、鴨居３０は、鴨居溝部３１を備えている。鴨居溝部３１は、移動方向Ｍに延びている。引戸１０の上端部１５は、鴨居溝部３１内に収容されている。
【００２３】
引戸１０の前面１３と後面１４とには、それぞれ、操作用凹部１８が形成されている。操作用凹部１８は、前面１３と後面１４とのそれぞれにおいて、移動方向Ｍの一端部に設けられている。操作用凹部１８は、前面１３と後面１４とに対して凹んでいる。操作用凹部１８は、作業者が引戸１０を引くときに、手の指をかける部位である。操作用凹部１８は、一例として、上下方向Ｖに長い長方形状である。
【００２４】
指挟み防止装置４０の説明に戻る。図１に示すように、指挟み防止装置４０は、上記したぶれ止めピン２６と、ストッパ装置５０とを備えている。図３は、引戸１０が全開位置Ｐ２にある状態において、引戸１０の下端部１１において移動方向Ｍの一端部１６とその近傍を一部切り欠いて示す斜視図である。図３は、戸袋２２の開口端も示している。
【００２５】
図３に示すように、ストッパ装置５０は、引戸１０の下端部１１において移動方向Ｍに沿う一端部１６に設けられている。より具体的には、ストッパ装置５０は、収容溝部１２内の一端部１６に設けられている。なお、引戸１０の一端部１６は、引戸１０が全開位置Ｐ２にあるとき、言い換えると、図３に示すように引戸１０が戸袋２２内に完全に収容された状態において、戸袋２２の開口端に面する端部である。
【００２６】
図４は、ストッパ装置５０の分解斜視図である。図４に示すように、ストッパ装置５０は、ストッパ５１と、ストッパ５１を収容するケース５２と、ケース５２を覆うカバー５３と、ケース５２とカバー５３とを引戸１０に固定する金属製のブラケット５４と、ケース５２とカバー５３とブラケット５４とを一体に固定するねじ５５と、付勢用ばね５６とを備えている。なお、ストッパ装置５０に定義される方向は、ストッパ装置５０が引戸１０に固定されたときの引戸１０の方向に基づいて設定する。
【００２７】
ケース５２は、前端と下端とが開口する箱形状であり、後壁部５７と、上壁部５８と、両端壁部５９，６０とを備えている。ケース５２の内部には、後述されるストッパ５１が収容される。ストッパ５１は、前後方向に見た平面形状は、略四角形である。ストッパ５１は、外枠部６１と、外枠部６１内に設けられる補強壁部６２とを備えている。補強壁部６２は、一例として、ハニカム形状である。ストッパ５１は、ケース５２内で、上下方向Ｖに沿って移動することが可能な大きさを有している。ストッパ５１の上下方向Ｖに沿う移動については、後で具体的に説明する。
【００２８】
カバー５３は、板形状であって、内側にストッパ５１が収容された状態のケース５２の前端の開口を覆う。ケース５２がカバー５３によって覆われることによって、ケース５２とカバー５３との一体物は、下端が開口する箱形状を構成する。カバー５３の上端部５３ａには、カバー５３の上壁部３８に係合する係合爪部５３ｂが形成されている。本実施形態では、係合爪部５３ｂは複数設けられており、一例として３つ設けられている。ケース５２の上壁部５８には、カバー５３の係合爪部５３ｂが係合する、係合部５２ａが設けられている。
【００２９】
ケース５２の後壁部５７の内面には、ボス部６３が形成されている。ストッパ５１の内側には、ボス部６３が通る貫通孔６４が形成されている。貫通孔６４は、上下方向Ｖに延びる長孔形状である。カバー５３には、当該カバー５３がケース５２の前端の開口を覆う状態にあるときに、ケース５２のボス部６３と対向する位置に貫通孔６５が形成されている。
【００３０】
ケース５２内にストッパ５１が収容されるとともにカバー５３がケース５２の前端開口を覆う状態になると、ボス部６３は、ストッパ５１の貫通孔６４を貫通するとともに、カバー５３の貫通孔６５の縁に当接する。
【００３１】
ボス部６３の内側には、穴６３ａが形成されている。ストッパ５１とケース５２とカバー５３とが、上記のように組み合わさると、カバー５３の貫通孔６５は、ボス部６３の穴６３ａに連通する。ねじ５５は、セルフタッピング式のねじである。ねじ５５は、カバー５３の貫通孔６５とボス部６３の穴６３ａとが連通した状態で、穴６３ａに挿入される。ねじ５５がセルフタッピング式であることによって、ねじ５５を穴６３ａに挿入するとともに回転すると、ねじ５５がボス部６３に螺合して固定される。
【００３２】
ストッパ５１に形成される貫通孔６４は、上下方向Ｖに延びている。このため、貫通孔６４内にボス部６３が通っても、ストッパ５１は、ケース５２とカバー５３とに対して上下方向Ｖに移動することができる。ストッパ５１の貫通孔６４について、具体的に説明する。
【００３３】
図５は、引戸１０においてストッパ装置５０が固定される部位の近傍を拡大して示す平面図である。ストッパ装置５０は、引戸１０の収容溝部１２内に収容されているので、図５では点線で示されている。図５では、ストッパ５１を示すために、カバー５３とブラケット５４とは省略されている。
【００３４】
図５に示すように、貫通孔６４の上端は、ストッパ５１の下端面５１ａがケース５２とカバー５３の下端と上下方向に同じ位置または若干上方にあるときにボス部６３に当接する。ボス部６３が貫通孔６４の上端に当接する位置は、ストッパ５１の最も下方に移動した位置である。ストッパ５１が最も下方に移動した位置を、第１の位置Ｐ３とする。言い換えると、第１の位置Ｐ３は、ストッパ５１が、ぶれ止めピン２６側に最も移動した位置である。
【００３５】
カバー５３がケース５２に組み付けられたときに、ケース５２の下端とカバー５３の下端とは、上下方向Ｖに対して垂直な同一平面上に配置される。また、ケース５２とカバー５３とが、後述されるブラケット５４によって引戸１０に固定されたとき、ケース５２とカバー５３とブラケット５４の下端とは、上記同一平面上に位置する。この同一平面が、ストッパ装置５０の下端面となる。ストッパ装置５０が引戸１０に固定されたとき、ストッパ装置５０の下端面は、引戸１０の下端面と面一、または、引戸１０の下端面よりも若干上方に位置する。
【００３６】
このため、ストッパ５１が最下端にある状態では、ストッパ５１の下端面は、引戸１０の下端面と面一、または、下端面よりも上方に位置する。このため、ストッパ装置５０は、引戸１０の移動を阻害しない。
【００３７】
図６は、ストッパ５１が、最も上方に移動した位置にある状態を示す平面図である。最も上方に移動した位置を、第２の位置Ｐ４とする。言い換えると、第２の位置Ｐ４は、ストッパ５１が、ぶれ止めピン２６側から最も離れた位置である。
【００３８】
図６に示すように、ボス部６３が貫通孔６４の下端に当接した状態では、ストッパ５１と敷居２３の底壁部２５との間の長さは、ぶれ止めピン２６の上下方向Ｖに沿う高さよりも大きくなる。このため、ストッパ５１が図６に示すように上方に移動すると、ストッパ５１は、ぶれ止めピン２６を乗り越えることができる。
【００３９】
なお、ストッパ５１が第１の位置Ｐ３にある状態では、引戸１０を開く際に、ストッパ５１は、ぶれ止めピン２６に当接する。ストッパ５１がぶれ止めピン２６に当接することによって、この当接した位置から引戸１０が開くことが防止される。
【００４０】
ストッパ５１とぶれ止めピン２６との相対位置は、引戸１０が、指挟み防止位置Ｐ５まで開くと、ストッパ５１がぶれ止めピン２６に当接するように設定されている。指挟み防止位置Ｐ５は、後で具体的に説明される。
【００４１】
図示しないが、ケース５２とカバー５３とに対するストッパ５１の上下方向Ｖに沿う移動をスムーズにするために、貫通孔６４の内面とボス部６３との間に若干の隙間が形成されている。
【００４２】
図４に示すように、付勢用ばね５６は、一例として、２つ用いられている。図５に示すように、付勢用ばね５６は、ストッパ５１とケース５２の上壁部５８との間に設けられており、ストッパ５１をケース５２とカバー５３とに対して下方に付勢している。ストッパ５１には、付勢用ばね５６の一部を収容する収容穴６６が形成されている。収容穴６６は、貫通孔６４を挟んで移動方向Ｍ両側に１つずつ設けられており、上下方向Ｖに延びている。なお、収容穴６６の位置は、貫通孔６４を挟んで対称な位置である。つまり、付勢用ばね５６は、貫通孔６４を挟んで対称な位置に設けられている。
【００４３】
ブラケット５４は、ケース５２とカバー５３とストッパ５１との一体物を引戸１０に固定する機能と、ケース５２とカバー５３に対するストッパ５１の上下方向Ｖに沿う移動がスムーズになされる状態を維持する機能と、ストッパ５１がぶれ止めピン２６に当接したときの衝撃をストッパ５１と共に受ける機能とを有している。
【００４４】
ブラケット５４は、金属製である。図４に示すように、ブラケット５４は、引戸１０に固定される固定部６７と、ケース５２とカバー５３とストッパ５１との一体物を収容する保護部６８とを備えている。
【００４５】
保護部６８は、上端と下端とが開口する、筒形状である。保護部６８は、内側にケース５２とカバー５３とが嵌合する形状である。ケース５２とカバー５３とストッパ５１との一体物は、例えば、保護部６８の上端開口から挿入される。
【００４６】
保護部６８は、前壁部６９と後壁部７０とを備えている。前壁部６９と後壁部７０との移動方向Ｍに沿う他端部は、側壁部７１によって互いに連結されている。前壁部６９と後壁部７０との移動方向Ｍに沿う一端部は、側壁部７２によって連結されている。側壁部７２は、前壁部６９，７０に対して、前後方向に沿うように折れ曲がっている。
【００４７】
ブラケット５４の側壁部７２は、ブラケット５４内にケース５２とカバー５３とが収容されたときに、ケース５２とカバー５３の移動方向Ｍに沿う一端よりも内側に位置する。このため、ケース５２とカバー５３とには、ブラケット５４の側壁部７２が収容される溝部７４が形成される。なお、図４中には、カバー５３に形成される溝部７４のみ図示されているが、ケース５２の後壁部５７にも同様の溝部が形成されている。ケース５２に形成される溝部とカバー５３に形成される溝部７４との下端は、開口している。
【００４８】
ブラケット５４の保護部６８内に、上端開口を通してケース５２とカバー５３とストッパ５１との一体物を挿入すると、側壁部７２がケース５２の溝部とカバー５３の溝部７４とに挿入される。
【００４９】
ブラケット５４の保護部６８の前壁部６９には、カバー５３の貫通孔６５に対向する位置に、貫通孔７５が形成されている。保護部６８内に、ケース５２とカバー５３とストッパ５１との一体物が収容されると、ねじ５５は、保護部６８の貫通孔７５とカバー５３の貫通孔６５とを通ってボス部６３の穴６３ａに螺合する。このことによって、ケース５２とカバー５３とストッパ５１とブラケット５４とが、ねじ５５によって、一体に固定される。ケース５２とカバー５３とブラケット５４とは、本発明で言うハウジングの一例を構成している。
【００５０】
図４に示すように、固定部６７は、保護部６８に一体に形成されている。固定部６７は、保護部６８の移動方向Ｍに沿って他端部から移動方向Ｍに沿って突出しており、移動方向Ｍに沿って保護部６８に並んでいる。固定部６７は、上下方向Ｖに垂直な固定面部７６を備えている。固定面部７６には、上下方向Ｖに貫通する貫通孔７７が形成されている。固定面部７６は、引戸１０の収容溝部１２の上部に、第１の固定用ねじ７８によって固定される。固定用ねじ７８は、貫通孔７７を通る。
【００５１】
このように、ブラケット５４は、保護部６８によってケース５２とカバー５３とストッパ５１との一体物を保持するとともに、固定部６７によってこれら一体物を引戸１０に固定する。また、ケース５２の上壁部５８には、第２の固定用ねじ８０を通す貫通孔５８ａが形成されている。貫通孔５８ａは、移動方向Ｍに沿って延びている。第２の固定用ねじ８０は、貫通孔５８ａを通って収容溝部１２の壁部に螺合する。ストッパ装置５０は、第２の固定用ねじ８０によっても引戸１０に固定される。
【００５２】
なお、図３に示すように、ストッパ装置５０の上下方向Ｖに沿う高さは、収容溝部１２の上下方向Ｖに沿う高さよりも高い。引戸１０においてストッパ装置５０が収容される部位は、収容溝部１２を含むとともに、ストッパ装置５０が嵌る形状に形成されている。
【００５３】
次に、ブラケット５４によって、ストッパ５１の上下方向Ｖに沿うスムーズな移動が維持されることについて、具体的に説明する。引戸１０は、木製である。このため、引戸１０は、引戸１０の周囲の湿気の状態など、周囲の環境に起因して反るなどする場合がある。ストッパ装置５０のケース５２とカバー５３とは、一例として、樹脂製である。このため、引戸１０が上記のように反るなどすると、引戸１０内に収容されるストッパ装置５０は、引戸１０の反りに合わせて変形することが考えられる。
【００５４】
保護部６８は、金属製であり、それゆえ、剛性が高い。このため、引戸１０においてストッパ装置５０が収容される部位が上記のように反るなどして変形しても、保護部６８の剛性が高いことによって、保護部６８が変形することを防止できる、または、変形しても、その変形の程度を小さくすることができる。
【００５５】
ケース５２とカバー５３とが変形すると、ストッパ５１においてケース５２とカバー５３とに接触する箇所が増加し、または、接触箇所に作用する押圧力が大きくなる。接触箇所が増加し、または、接触箇所に作用する押圧力が大きくなることによって、ストッパ５１の上下方向Ｖに沿う移動が阻害される。
【００５６】
しかしながら、保護部６８によって上記変形が抑制される、または、変形の程度を小さくすることができることによって、ストッパ５１のスムーズな移動が維持される。また、ブラケット５４は、ストッパ５１がぶれ止めピン２６に当接したときにストッパ５１に入力される衝撃を、ストッパ５１とともに受ける。
【００５７】
なお、ブラケット５４ではなくケース５２とカバー５３とにストッパ装置５０を引戸１０に固定する形状や構造を設けることができる場合、ブラケット５４がなくてもストッパ５１のスムーズな移動が維持される場合、ブラケット５４がなくてもストッパ５１がぶれ止めピン２６に当接するときの衝撃によってストッパ装置５０が損傷しない場合などでは、ブラケット５４は用いられなくてもよい。
【００５８】
図４に示すように、ストッパ５１において移動方向Ｍに沿う一端部には、移動方向Ｍに突出する操作部７８が設けられている。ケース５２の側壁部５９には、ケース５２内にストッパ５１が収容されたときに、操作部７８がストッパ５１の上下方向の移動に伴って移動できるように開口部７９が形成されている。操作部７８は、開口部７９内に収容される。
【００５９】
図３に示すように、ストッパ装置５０において移動方向Ｍに沿う一端部は、引戸１０の端面から露出している。操作部７８は、引戸１０の移動方向Ｍに沿う一端の端面から外側に露出している。このため、操作部７８は、外側から容易に操作することができる。操作部７８に対する操作とは、当該操作部７８を上下に移動することである。
【００６０】
図４に示すように、ストッパ５１とケース５２とには、ストッパ５１の上下方向Ｖに沿う移動をガイドするガイド部８１が設けられている。ガイド部８１は、ケース５２に設けられるガイド用突出部８２と、ストッパ５１に設けられるガイド用収容部８３とを備えている。
【００６１】
ガイド用突出部８２は、ケース５２において側壁部５９よりも移動方向Ｍに沿って内側でかつ下方に設けられており、上下方向Ｖに延びている。ガイド用収容部８３は、ストッパ５１の移動方向Ｍに沿って一端側の端面よりも移動方向Ｍに沿って内側に設けられており、下端が開口している。
【００６２】
ストッパ５１がケース５２内に収容されると、ケース５２のガイド用突出部８２は、ストッパ５１のガイド用収容部８３内に収容される。ガイド用突出部８２の上下方向Ｖに沿う長さは、ストッパ５１が図５に示すように第１の位置Ｐ３にある状態と図６に示すように第２の位置Ｐ４にある状態との間で上下方向Ｖに沿って移動する際に、ガイド用突出部８２の少なくとも一部がガイド用収容部８３内に収容される長さを有している。
【００６３】
図５の範囲Ｆ６１内には、ガイド用突出部８２がガイド用収容部８３内に収容されている状態においてガイド用突出部８２とガイド用収容部８３とを拡大するとともに移動方向Ｍに沿って切断した状態を示している。範囲Ｆ６１に示すように、ガイド用突出部８２の移動方向両端面８４，８５は、移動方向Ｍに垂直な平面であり、上下方向Ｖに平行である。ガイド用収容部８３の内面のうち、移動方向両端面８６，８７は、移動方向Ｍに垂直であり、上下方向Ｖに平行である。
【００６４】
ガイド用収容部８３は、ガイド用突出部８２よりも若干大きい。これは、ケース５２に対してストッパ５１がスムーズに移動するようにするためである。ストッパ５１がケース５２内に収容された状態では、ガイド用突出部８２において移動方向Ｍの他端側の端面８５と、ガイド用収容部８３において移動方向他端側の端面８７とが互いに平行である。また、ガイド用突出部８２の移動方向Ｍの一端側の端面８４と、ガイド用収容部８３の移動方向Ｍの一端側の端面８６とが互いに平行になる。
【００６５】
上記のように、ガイド用収容部８３がガイド用突出部８２に対して若干大きいが、これら端面８５，８７が面接触することによって、または、端面８４，８６が面接触することによって、ストッパ５１の上下方向Ｖに沿う移動がガイドされる。
【００６６】
範囲Ｆ６１内に示すように、ガイド用収容部８３の移動方向Ｍの一端側の外側の端面８８は、前後方向Ｌに垂直な平面である。ケース５２の側壁部５９の内面８９は、前後方向Ｌに垂直な平面である。内面８９と端面８８とは、互いに対向する。内面８９と端面８８との間には、隙間Ｓ１が設けられている。なお、内面８９と端面８８とが最も近づいた状態、つまり、端面８５，８７が面接触している状態であっても、隙間Ｓ１が形成される。
【００６７】
次に、引戸１０を全閉位置Ｐ１から全開位置Ｐ２に開く際の、指挟み防止装置４０の動作を説明する。図１中、全閉位置Ｐ１にある引戸１０は、２点鎖線で示されている。引戸１０を開く際には、作業者は、操作用凹部１８に手の指をかける。図１の範囲Ｆ１２内には、操作用凹部１８とその近傍を拡大して示している。範囲Ｆ１２内には、作業者の手５を２点鎖線で示している。
【００６８】
範囲Ｆ１２内に示すように、作業者は、引戸１０を全開位置Ｐ２まで移動する際には、一般的に、操作用凹部１８の移動方向他端側に指を押し当てる。そして、操作用凹部１８の移動方向他端側に指を押し当てた状態で、引戸１０を全開位置Ｐ２まで押すことによって移動する。
【００６９】
ストッパ装置５０のストッパ５１は、付勢用ばね５６によって、第１の位置Ｐ３に保持される。ストッパ５１が第１の位置Ｐ３にある状態で引戸１０を全開位置Ｐ２に向って移動すると、引戸１０が、指挟み防止位置Ｐ５にいたると、図５に示すように、ストッパ５１が敷居２３に設けられるぶれ止めピン２６に当接する。ストッパ５１がぶれ止めピン２６に当接することによって、引戸１０がそれ以上開かなくなる
ここで、指挟み防止位置Ｐ５について具体的に説明する。指挟み防止位置Ｐ５は、引戸１０を全開位置Ｐ２まで開く際に、引戸１０と戸袋２２との間に作業者の手の指が挟まれないよう考慮された位置である。
【００７０】
本実施形態では、引戸１０には、操作用凹部１８が設けられており、操作用凹部１８の内面に押し当てられた作業者の手の指が、引戸１０と戸袋２２との間に引き込まれるおそれがある。
【００７１】
図１に示すように、本実施形態では、指挟み防止位置Ｐ５は、操作用凹部１８の移動方向Ｍに沿って他端の縁１８ａが戸袋２２の開口側端面２２ａと面一になる位置である。面一になるとは、引戸１０を前方から見たときに、操作用凹部１８の移動方向他端の縁１８ａと戸袋２２の端面２２ａとが重なる位置である。このため、図１の範囲Ｆ１２内に示すように、ストッパ５１がぶれ止めピン２６に当接したときに作業者の手の指が引戸１０と戸袋２２との間に引き込まれることはない。
【００７２】
上記は、前面１３側から引戸１０を移動した状態を説明したが、後面１４側から引戸１０を移動した場合であっても、引戸１０は、指挟み防止位置Ｐ５で同様に停止する。
【００７３】
なお、指挟み防止位置Ｐ５は、上記以外に設定されてもよい。例えば、引戸１０を前方から後方に向って見たときに、操作用凹部１８の全体が露出するように、操作用凹部１８が戸袋２２の端面２２ａより離れた位置にあるときに、ストッパ５１とぶれ止めピン２６とが互いに当接してもよい。
【００７４】
ストッパ５１とぶれ止めピン２６とが当接することによって引戸１０の移動が停止すると、作業者は、ストッパ５１の操作部７８を上方に移動する。ケース５２の開口部７９が引戸１０の端面に開口しているので、作業者は、開口部７９を通して操作部７８を操作することができる。
【００７５】
図６に示すように、作業者は、付勢用ばね５６による付勢力に抗って、ストッパ５１を上方に移動する。ストッパ５１が第２の位置Ｐ４まで持ち上げられると、ボス部６３が貫通孔６４の下端に当接する。この当接によって、作業者は、ストッパ５１が第２の位置Ｐ４まで移動されたことを認識することができる。他の例としては、ストッパ５１が第２の位置Ｐ４まで移動したときに、ストッパ５１の上端面がケース５２の上端面に当接するようにしてもよい。この場合、ボス部６３が貫通孔６４の下端に当接していなくてもよい。この場合、作業者は、ストッパ５１の上端面がケース５２の上端面に当接することによって、ストッパ５１が第２の位置Ｐ４まで移動したことを認識することができる。
【００７６】
ストッパ５１が第２の位置Ｐ４まで移動されると、ストッパ５１と敷居２３の底壁部２５との間には、ぶれ止めピン２６が通ることができるスペースが設けられる。作業者は、ストッパ５１を第２の位置Ｐ４に維持したまま、引戸１０を、図７に示すように指挟み防止位置Ｐ５から全開位置Ｐ２まで移動する。図７は、引戸１０を移動する様子を図６のように示す平面図である。ストッパ５１が第２の位置Ｐ４にあることによって、ぶれ止めピン２６とストッパ５１とが互いに当接することがなく、引戸１０を戸袋２２内に押し込むことができる。
【００７７】
なお、上記では、ストッパ５１を第２の位置Ｐ４に維持した状態で引戸１０を戸袋２２内に押し込んだ。他の例としては、操作部７８を操作することによってストッパ５１をぶれ止めピン２６よりも上方に移動した後、引戸１０をストッパ５１とぶれ止めピン２６とが上下方向Ｖに重なる位置まで移動させたら、操作部の操作を解除してもよい。
【００７８】
操作部７８への操作が解除されることによって、ストッパ５１は、付勢用ばね５６の付勢力によって下方に移動されるので、ぶれ止めピン２６と上下方向Ｖに当接する。しかしながら、ストッパ５１の下端面５１ａは上下方向Ｖに垂直な平面であるので、当該下端面５１ａとぶれ止めピン２６とが互いに擦ることになるが、この状態で引戸１０を戸袋２２内に押し込むことができる。
【００７９】
なお、この場合、ストッパ５１とぶれ止めピン２６との間に摩擦力が発生するので、引戸１０の移動に必要とする力が大きくなるので、好ましくは、ストッパ５１を第２の位置Ｐ４、または、ぶれ止めピン２６と上下方向Ｖに接触しない位置に位置決めた状態で引戸１０を移動すると、引戸１０の移動に必要な力を小さく抑えることができる。
【００８０】
このように構成される指挟み防止装置４０では、引戸１０を全開位置Ｐ２に向って移動する際に、引戸１０が指挟み防止位置Ｐ５に到達すると、ストッパ５１とぶれ止めピン２６とが当接することによって、引戸１０の移動が停止される。
【００８１】
作業者は、引戸１０の移動が停止されると、操作部７８を操作する。このため、作業者は、操作部７８を操作する状態になると、引戸１０と戸袋２２との間に指を挟む恐れがあることを認識することができるので、引戸１０と戸袋２２との間に指を挟むことが発生することを防止することができる。
【００８２】
また、ストッパ５１は、付勢用ばね５６によって第１の位置Ｐ３に付勢されるので、ストッパ５１がぶれ止めピン２６と上下方向Ｖに重ならない位置にあると、ストッパ５１は、自動的に第１の位置Ｐ３に位置決められる。このため、引戸１０と戸袋２２との間に指が挟まれることの発生を、より一層防止することができる。
【００８３】
また、ガイド部８１によって、ケース５２とカバー５３とに対するストッパ５１の上下方向Ｖに沿う移動をスムーズに行うことができる。
【００８４】
また、ストッパ５１においてケース５２の開口部７９を通して外側に露出する端面８８とケース５２の側壁部５９の内面８９との間には、隙間Ｓ１が設けられている。つまり、内面８９と端面８８とが常に接触しないので、ストッパ５１の移動に伴って端面８８が内面８９に対して擦ることがないので、端面８８が傷つくことが防止される。このため、引戸１０の外観が悪くなることを抑制することができる。
【００８５】
また、引戸１０を指挟み防止位置Ｐ５に停止させるために互いに当接するストッパ５１とぶれ止めピン２６とが収容溝部１２内に収容されることによって、これら互いに当接する部位が外側から隠れることになる。ストッパ５１とぶれ止めピン２６とは、互いに当接することによって当接した部分が擦れたりするが、上記のように、外側から隠れることによって、当該擦れたりする部分が露出しなくなるので、見栄えが悪くなることを抑制できる。さらに、収容溝部１２が下端に開口することによって、ストッパ５１が外側から見えづらくなるので、見栄えが悪くなることをより一層抑制することができる。
【００８６】
また、ストッパ５１とぶれ止めピン２６とを当接させることによって引戸１０の移動を停止するため、引戸１０の移動停止するために操作用凹部１８を戸袋２２の先端と接触するように出没可能に設ける必要がない。このため、操作用凹部１８などの引戸１０を移動する際に作業者が指を添えたりする操作部のデザインを自由に選択することができる。
【００８７】
また、操作用凹部１８などの引戸１０を移動する際に作業者が用いる操作部を戸袋２２に接触する構造ではなくストッパ５１とぶれ止めピン２６とを接触させる構造によって引戸１０の移動を停止するため、引戸１０と戸袋２２の前壁部２７との間のクリアランスと、引戸１０と戸袋２２の後壁部２８との間のクリアランスとによらずに、引戸１０の移動を停止することができる。
【００８８】
なお、本実施形態では、付勢用ばね５６が用いられている。他の例としては、付勢用ばね５６が用いられなくてもよい。ボス部６３の大きさと貫通孔６４の大きさとの相対関係は、ボス部６３と貫通孔６４との間に隙間が設けられることによってボス部６３と貫通孔６４との間の摩擦を低減し、ストッパ５１をスムーズに移動できるように設定されている。このため、ストッパ５１は、その自重により、自動的に第１の位置Ｐ３に位置決められる。なお、本実施形態のように、付勢用ばね５６が用いられることによって、ストッパ５１を第１の位置Ｐ３に、より確実に位置決められるようになる。
【００８９】
次に、本発明の第２の実施形態に係る指挟み防止装置を、図８〜１０を用いて説明する。なお、第１の実施形態と同様の機能を有する構成は、第１の実施形態と同一の符号を付して説明を省略する。本実施形態では、貫通孔６４の形状が第１の実施形態と異なる。また、付勢用ばね５６が用いられない。他の構造は、第１の実施形態と同じである。上記異なる点について説明する。
【００９０】
図８は、本実施形態のストッパ装置５０を示す分解斜視図である。図８に示すように、本実施形態では、貫通孔６４は、ストッパ５１を第２の位置Ｐ４、または、第１の位置Ｐ３に保持する保持用突出部９０を備えている。保持用突出部９０は、貫通孔６４の内面のうち、移動方向Ｍに互いに対向する両面に設けられており、互いに相手側の面に向って突出している。
【００９１】
保持用突出部９０は、貫通孔６４の上下方向Ｖの中間位置に設けられている。貫通孔６４において、両保持用突出部９０を境に上方と下方とには、それぞれ、ボス部６３が収容可能なスペースＳ２，Ｓ３が設けられている。両保持用突出部９０間には、隙間Ｓ４が形成されている。隙間Ｓ４の幅は、ボス部６３よりも小さい。
【００９２】
ストッパ５１において貫通孔６４を移動方向Ｍに挟む両側には、貫通孔６４の縁部を変形可能とする変形用溝部９１が形成されている。貫通孔６４の縁部を変形させて隙間Ｓ４を広げることによって、ボス部６３が隙間Ｓ４を通る。貫通孔６４の縁部６４ａの両上端部には、変形要溝部９１と貫通孔６４とを連通する切込みＳ５が形成されている。切込みＳ５が形成されることによって、縁部６４は下端部でストッパ５１に支持されるようになり、いわゆる片持ち支持される。切込みＳ５は、貫通孔６４の縁部６４ａによるボス部６３の挟持力を適正にするために形成されている。
【００９３】
図９は、指挟み防止位置Ｐ５にある引戸１０において、ストッパ装置５０の近傍を一部切り欠いて示す斜視図である。図９では、ストッパ５１を明確に示すために、カバー５３とブラケット５４とは、省略されているが、実際には、第１の実施形態と同様に、カバー５３とブラケット５４とが用いられている。
【００９４】
図９に示すように、ストッパ５１がぶれ止めピン２６に当接する位置である第１の位置Ｐ３にあるときは、ボス部６３は、貫通孔６４内において保持用突出部９０の上方に設けられるスペースＳ２内に収容される。
【００９５】
図１０は、ストッパ５１を第２の位置Ｐ４に移動した状態を、図９と同様に示す斜視図である。図１０に示すように、ストッパ５１を第２の位置Ｐ４に移動する場合は、操作部７８を押し上げることによって、ボス部６３が両保持用突出部９０間の隙間Ｓ４を押し広げる。このことによって、ボス部６３が隙間Ｓ４を通り、それゆえ、ストッパ５１が上方に移動できる。
【００９６】
図１０に示すように、ストッパ５１が第２の位置Ｐ４に移動すると、ボス部６３は、貫通孔６４内において、両保持用突出部９０の下方に形成されるスペースＳ３内に収容される。ボス部６３がスペースＳ３内に保持されることによって、ストッパ５１は、第２の位置Ｐ４に保持される。
【００９７】
ストッパ５１を、図９に示すように、ぶれ止めピン２６に当接する位置に移動する際には、操作部７８を押し下げる。操作部７８を押し下げることによって、ボス部６３が隙間Ｓ４を押し広げるので、ストッパ５１が第１の位置Ｐ３に移動する。
【００９８】
本実施形態では、ストッパ５１が第１の位置Ｐ３と第２の位置Ｐ４とに保持されるので、付勢用ばね５６は、用いられていない。本実施形態では、上記のように、ストッパ５１は、保持用突出部９０によって、選択的に第２の位置Ｐ４と第１の位置Ｐ３とに保持される。
【００９９】
本実施形態では、ストッパ５１が第２の位置Ｐ４に保持されるので、作業者は、ストッパ５１を第２の位置Ｐ４に保持するべく操作部７８を押し上げ続けるなどの動作をする必要がなくなるので、引戸１０を全開位置Ｐ２までスムーズに移動することができる。
【０１００】
また、ストッパ５１が第２の位置Ｐ４に保持されている状態は、指挟み防止装置４０が機能しない状態である。ストッパ５１が第１の位置Ｐ３に保持されている状態は、指挟み防止装置４０が機能する状態である。
【０１０１】
本実施形態では、指挟み防止装置４０の機能を停止する状態と機能する状態とを選択的に保持することができる。このため、例えば、子供など、引戸１０と戸袋２２との間に指を挟むおそれがある者が引戸を操作する場合は、常に、ストッパ５１を第１の位置Ｐ３に保持することによって指挟み防止装置４０が機能する状態とすることができる。そして、例えば大人など、指挟みを発生するおそれが少ない者が主に引戸を操作する場合では、ストッパ５１を第２の位置Ｐ４に保持することによって指挟み防止装置４０が機能しない状態にして引戸１０を全開位置Ｐ２までスムーズに移動することができるようになる。
【０１０２】
次に、本発明の第３の実施形態に係る指挟み防止装置を、図１１,１２を用いて説明する。なお、第１の実施形態と同様の機能を有する構成は、第１の実施形態と同一の符号を付して説明を省略する。本実施形態では、ストッパ５１の形状が第１の実施形態に対して異なる。他の構造は、第１の実施形態と同じである。上記異なる点について、具体的に説明する。
【０１０３】
図１１は、引戸１０が指挟み防止位置Ｐ５に到達した状態において、ストッパ装置５０の近傍を示す平面図である。図１１では、ストッパ５１の位置をわかりやすく示すために、カバー５３とブラケット５４とは図示が省略されているが、実際には、第１の実施形態と同様に、カバー５３とブラケット５４とが用いられている。
【０１０４】
図１１に示すように、ストッパ５１において移動方向Ｍの他端側の端部には、ぶれ止めピン２６に当接する、上下方向Ｖに対して傾斜する傾斜面１００が設けられている。傾斜面１００は、ストッパ５１の下端面５１ａの移動方向Ｍに沿う中腹部から、移動方向Ｍの他端側に向って上方に延びるように傾斜している。傾斜面１００は、平面である。引戸１０が指挟み防止位置Ｐ５にいたると、傾斜面１００は、ぶれ止めピン２６に当接する。
【０１０５】
図１１に示すように、傾斜面１００がぶれ止めピン２６に当接する状態から引戸１０をさらに戸袋２２内に向って押し込むと、ぶれ止めピン２６は、傾斜面１００上を当該傾斜面１００に対して滑るようになる。ぶれ止めピン２６が傾斜面１００上を滑ることに伴って、ストッパ５１は、上方に向かって移動してぶれ止めピン２６の上方に移動する。
【０１０６】
図１２は、ぶれ止めピン２６が傾斜面１００上を滑ることによって、ストッパ５１がぶれ止めピン２６を乗り越えた状態を、図１１と同様に示す正面図である。図１２に示すように、ストッパ５１がぶれ止めピン２６を乗り越えることによって、作業者は、操作部７８を操作することなく、引戸１０を全開位置Ｐ２まで移動することができる。本実施形態では、第２の位置Ｐ４は、第２の位置Ｐ４にあるストッパ５１の下端面５１ａとぶれ止めピン２６との間に隙間ができるように設定されている。図１２に示すように、引戸１０の移動に伴ってストッパ５１がぶれ止めピン２６を乗り越えた状態では、ストッパ５１の下端面５１ａはぶれ止めピン２６に接触している。このため、図１２に示すストッパは、第２の位置Ｐ４よりも下方に位置している。
【０１０７】
なお、図１１,１２に示すように、ストッパ５１は、操作部７８を備えてもよい。第１の実施形態と同様に、操作部７８を操作してストッパ５１をぶれ止めピン２６の上方に移動することによって、引戸１０を全開位置Ｐ２まで移動することができる。または、操作部７８は設けられなくてもよい。
【０１０８】
次に、本実施形態の指挟み防止装置４０の動作を説明する。操作者が引戸１０を全閉位置Ｐ１から全開位置Ｐ２に向って移動すると、指挟み防止位置Ｐ５において、図１１に示すように、ストッパ５１の傾斜面１００がぶれ止めピン２６に当接する。
【０１０９】
傾斜面１００にぶれ止めピン２６が当接することによって、引戸１０を移動するために必要な力が大きくなるので、引戸１０の移動が一端停止される。引戸１０の移動が停止されると、操作者は、ストッパ５１がぶれ止めピン２６を乗りこえるように、当初より大きな力で引戸１０を全開位置Ｐ２に向って移動する。
【０１１０】
ストッパ５１がぶれ止めピン２６を乗り越える力が引戸１０に入力されると、図１２に示すように、ストッパ５１はぶれ止めピン２６を乗り越えるので、引戸１０が全開位置Ｐ２まで移動する。
【０１１１】
なお、本実施形態では、ぶれ止めピン２６は、球体部２６ｂを備えており、上端部が球体となる形状である。他の例では、ぶれ止めピン２６に代えて、傾斜面１００に面接触する傾斜面を有する突出部が用いられてもよい。この突出部は、ぶれ止めピン２６の機能である、引戸１０を敷居２３の敷居溝部２４の幅方向中心に位置決める機能を有している。
【０１１２】
この場合、ストッパ５１の傾斜面１００と突出部の傾斜面とが互いに面接触することによって、ストッパ５１が突出部を乗り越えやすくなる。このため、引戸１０を全開位置Ｐ２までスムーズに移動することができる。
【０１１３】
本実施形態では、引戸１０を移動することによって、操作部７８を操作することなくストッパ５１がぶれ止めピン２６を乗り越えられるにするための一例として、ストッパ５１が傾斜面１００を有している。そして、傾斜面１００は平面とした。他の例としては、傾斜面１００は、平面でなく、曲面であってもよい。
【０１１４】
要するに、ストッパ５１において指挟み防止位置Ｐ５にいたったときに突出部（本実施形態では、一例としてぶれ止めピン２６）に当接する部位に、引戸１０を引く動作に伴って突出部を乗り越える乗り越え部が設けられていればよい。上記傾斜面は、乗り越え部の一例である。
【０１１５】
次に、本発明の第４の実施形態に係る指挟み防止装置を、図１３を用いて説明する。なお、第１の実施形態と同様の機能を有する構成は、第１の実施形態と同一の符号を付して説明を省略する。本実施形態では、戸袋２２に代えて壁部１１０が用いられる点が、第１の実施形態に対して異なる。他の構造は、第１の実施形態と同じである。上記異なる点について、具体的に説明する。
【０１１６】
図１３は、本実施形態の指挟み防止装置４０が設けられる引戸１０と、その近傍とを一部切り欠いて示す斜視図である。図１３に示すように、本実施形態では、壁部１１０が設けられている。本実施形態では、開口部２０は、壁部２１と壁部１１０との間に形成されている。
【０１１７】
壁部１１０には、全開位置Ｐ２に移動した引戸１０を収容する凹部１１１が形成されている。引戸１０は、移動するにしたがい、凹部１１１内に収容される。作業者が引戸１０の後面１４に形成される操作用凹部１８を用いて引戸１０を後面１４側から全開位置Ｐ２まで移動する際に、壁部１１０と引戸１０との間に指を挟むおそれがある。
【０１１８】
本実施形態では、指挟み防止位置Ｐ５は、壁部１１０の開口部２０側の端面１１２と、操作用凹部１８において移動方向Ｍの他端側の縁１８ａとが前後方向に重なる位置に設定されている。本実施形態であっても、第１の実施形態と同様の効果が得られる。
【０１１９】
次に、本発明の第５の実施形態に係る指挟み防止装置を、図１４を用いて説明する。なお、第１の実施形態と同様の機能を有する構成は、第１の実施形態と同一の符号を付して説明を省略する。本実施形態では、引戸１０は、片引き戸構造ではなく、引き違い戸構造である。このため、引戸１０に替えて、２つの引戸１２０，１２１が用いられる。本実施形態では、戸袋２２は用いられてない。他の構造は、第１の実施形態と同じである。上記異なる点を、具体的に説明する。
【０１２０】
図１４は、本実施形態の指挟み防止装置４０が設けられる、２つの引戸１２０，１２１とその近傍とを示す斜視図である。本実施形態では、開口部２０は、２つの引戸１２０，１２１によって開閉される大きさを有している。なお、引戸１２０，１２１は、ともに、引戸１０と同じ構造である。このため、引戸１２０，１２１の各部位には、引戸１０と同じ符号を付して説明を省略する。引戸１２０は、引戸１２１に対して前側に位置している。
【０１２１】
なお、引戸１２０の操作用凹部１８は、前面１３と後面１４との各々の移動方向Ｍの他端部に設けられている。前面１３と後面１４に形成される操作用凹部１８は、前後方向に重なる位置に配置されている。引戸１２１の操作用凹部１８は、前面１３と後面１４との各々の移動方向Ｍの一端部に設けられている。前面１３と後面１４とに形成される操作用凹部１８は、前後方向に重なる位置に配置されている。
【０１２２】
図１４では、一方の引戸１２０が全閉位置Ｐ１にあり、他方の引戸１２１が全開位置Ｐ２にある状態を示している。ここで、引戸１２０，１２１において、それぞれの全閉位置Ｐ１と全開位置Ｐ２とについて、具体的に説明する。
【０１２３】
図１４に示すように、本実施形態では、開口部２０は、敷居２３と、鴨居３０と、敷居２３と鴨居３０の移動方向Ｍの両端に設けられる側壁部１２２，１２３とによって形成される。側壁部１２２，１２３は、敷居２３と鴨居３０とに連結されている。
【０１２４】
引戸１２０の全閉位置Ｐ１は、引戸１２０が他方の側壁部１２３に当接する位置である。引戸１２１の全閉位置Ｐ１は、引戸１２１が一方の側壁部１２２に当接する位置である。引戸１２０，１２１が全閉位置Ｐ１にあることによって、開口部２０が塞がれる。
【０１２５】
引戸１２０の全開位置Ｐ２は、側壁部１２２に当接する位置である。引戸１２１の全開位置Ｐ２は、側壁部１２３に当接する位置である。引戸１２０，１２１の一方が全閉位置Ｐ１にある状態において、他方が全開位置Ｐ２にあると、開口部２０において他方の引戸に覆われるべき範囲が全開状態になる。
【０１２６】
本実施形態では、引き違い戸構造であるので、戸袋２２は用いられない。敷居２３は、２つの敷居溝部２４が形成されている。これら２つの敷居溝部２４は互いに平行である。鴨居３０は、２つの鴨居溝部３１が設けられている。引戸１２０，１２１の上下端部１１，１５は、敷居溝部２４と鴨居溝部３１に収容される。
【０１２７】
本実施形態では、両引戸１２０，１２１の各々と敷居２３に指挟み防止装置４０が設けられている。図１４に示すような引き違い戸構造では、奥側の引戸１２１を前側から開く際に、引戸１２０，１２１間に指を挟むことが考えられる。または、前側の引戸１２０を後ろ側から開く際に、引戸１２０，１２１間に指を挟む場合がある。
【０１２８】
本実施形態では、引戸１２０の指挟み防止位置Ｐ５は、全閉位置Ｐ１にある引戸１２１の移動方向Ｍの他端面と引戸１２０の操作用凹部１８の他端側の縁１８ａとが前後方向に重なる位置である。引戸１２１の指挟み防止位置Ｐ５は、全閉位置Ｐ１にある引戸１２０の移動方向Ｍの一端面１２５と引戸１２１の操作用凹部１８の一端側の縁１８ｂとが前後方向に重なる位置である。
【０１２９】
本実施形態では、第１の実施形態と同様の効果が得られる。
【０１３０】
次に、本発明の第６の実施形態に係る指挟み防止装置を、図１５を用いて説明する。なお、第１の実施形態と同様の機能を有する構成は、第１の実施形態と同一の符号を付して説明を省略する。本実施形態では、引戸１０に対するストッパ装置５０の姿勢が第１の実施形態に対して異なる。また、本実施形態では、ぶれ止めピン２６に加えて、ストッパ５１と当接する突出部１３０が設けられる。また、収容溝部１３１が設けられる。他の構造は、第１の実施形態と同じである。上記異なる点を具体的に説明する。
【０１３１】
図１５は、全開位置Ｐ２にある引戸１０においてぶれ止めピン２６の近傍を移動方向Ｍに垂直な平面に沿って切断した状態を示す断面図である。図１５に示すように、突出部１３０は、一例として、戸袋２２の前壁部２７の内面に設けられており、後壁部２８側に向って突出している。突出部１３０は、ぶれ止めピン２６の近傍に配置されている。
【０１３２】
引戸１０の前面１３において下端部１１には、突出部１３０が収容される収容溝部１３１が形成されている。収容溝部１３１は、引戸１０が全閉位置Ｐ１から全開位置Ｐ２まで移動する際に突出部１３０を収容できるよう、移動方向Ｍに延びている。
【０１３３】
本実施形態では、ストッパ装置５０は、収容溝部１２内ではなく、収容溝部１３１内に形成されている。本実施形態のストッパ装置５０は、第１の実施形態に対して、９０度回転した姿勢で収容溝部１３１内に固定されている。第１の実施形態において下端に開口しているカバー５３の開口は、本実施形態では戸袋２２の前壁部２７に向って開口している。ストッパ５１は、指挟み防止位置Ｐ５にいたると、突出部１３０に当接する。ストッパ５１が戸袋２２の後壁部２８側に移動することによって、ストッパ５１と突出部１３０との当接が解除される。このように、本実施形態では、ストッパ５１は、前後方向Ｌに沿って移動する。本実施形態では、ストッパ５１の第１の位置Ｐ３は、最も前方に移動した位置となる。第２の位置Ｐ４は、最も後方に移動した位置となる。
【０１３４】
なお、引戸１０に対するストッパ装置５０位置および姿勢は、第１の実施形態に対して、収容溝部１３１内に収容されることと、９０度回転した姿勢であることが異なるのみであり、第１の実施形態と同様に引戸１０の一端部１６に設けられている。このため、本実施形態では、カバー５３の開口部７９を通して操作部７８を操作することができる。
【０１３５】
本実施形態であっても、第１の実施形態と同様の効果が得られる。なお、第２，３の施形態であっても、本実施形態のように、ストッパ装置５０のストッパ５１に当接するものとして、ぶれ止めピン２６に代えて、突出部１３０が用いられてもよい。
【０１３６】
次に、本発明の第７の実施形態に係る指挟み防止装置を、図１６〜１９を用いて説明する。なお、第５の実施形態と同様の機能を有する構成は、第５の実施形態と同一の符号を付して説明を省略する。本実施形態では、ストッパ装置５０のストッパ５１に当接するものとして、ぶれ止めピン２６に代えて、第６の実施形態で用いられた突出部１３０が用いられる。また、引戸１０に対するストッパ装置５０の姿勢が第５の実施形態に対して異なる。他の構造は、第５の実施形態と同じである。
【０１３７】
図１６は、本実施形態で用いられる引戸１２０，１２１とその近傍とを示す正面図である。図１６では、両引戸１２０，１２１は、全閉位置Ｐ１にある状態である。図１７は、他方の引戸１２１が全開位置にあり、かつ、一方の引戸１２０が全閉位置Ｐ１にある状態を、ストッパ装置５０の近傍において移動方向Ｍに垂直な平面に沿って切断した状態を示す断面図である。
【０１３８】
図１６，１７に示すように、本実施形態では、他方の引戸１２１の前面１３に突出部１３０が設けられる。突出部１３０は、引戸１２０に向って突出している。引戸１２０の後面１４には、両引戸１２０の移動の際に突出部１３０を収容する収容溝部１３１が形成されている。収容溝部１３１は、移動方向Ｍに延びている。突出部１３０が収容溝部１３１に収容されることによって、両引戸１２０，１２１が移動方向Ｍに沿って移動することができる。突出部１３０は、引戸１２１の前面１３の下端部において、端面１２４側に配置されている。端面１２４は、引戸１２１が全閉位置Ｐ１にあるときに、側壁部１２２側の端面である。
【０１３９】
本実施形態では、ストッパ装置５０は、１つ用いられており、一方の引戸１２０の収容溝部１３１内に設けられている。一方の引戸１２０においてストッパ装置５０が設けられる位置は、一端部１６である。ストッパ装置５０は、ストッパ５１の移動方向が前後方向Ｌに沿うように、第５の実施形態の配置に対して、９０度回転した姿勢である。このため、ケース５２の開口は、引戸１２１側に向って開口しており、ストッパ５１は、前後方向Ｌに沿って移動する。
【０１４０】
本実施形態では、第１の位置Ｐ３は、ストッパ５１が最も後方に移動した位置である。第２の位置Ｐ４は、ストッパ５１が最も前方に移動した位置である。
【０１４１】
図１８は、一方の引戸１２０が全閉位置Ｐ１にある状態において、他方の引戸１２０を全開位置Ｐ２側に向って移動したときに他方の引戸１２１に設けられる突出部１３０がストッパ５１に当接した状態を示す正面図である。図１８に示すように、突出部１３０は、引戸１２１が指挟み防止位置Ｐ５にいたると、ストッパ５１に当接する位置に設けられている。
【０１４２】
このように、本実施形態では、他方の引戸１２１に設けられる突出部１３０が、一方の引戸１２０に設けられるストッパ５１に当接することによって、引戸１２１が指挟み防止位置Ｐ５にいたると、引戸１２１の移動が停止される。本実施形態であっても、操作部７８は、第１の実施形態と同様に、開口部７９を通して操作可能である。
【０１４３】
引戸１２１が指挟み防止位置Ｐ５にいたると、作業者は、操作部７８を操作することによってストッパ５１を、突出部１３０に当接しない位置に移動する。このことによって、引戸１２１を全開位置Ｐ２に移動することができる。
【０１４４】
なお、引戸１２０と引戸１２１とは、互いに同じ構造である。このため、引戸１２１が引戸１２０に対して指挟み防止位置Ｐ５にあることによって、引戸１２０が引戸１２１に対して指挟み防止位置Ｐ５にあることになる。
【０１４５】
つまり、両引戸１２０，１２１の相対位置が互いに指挟み防止位置Ｐ５にあるときに、ストッパ５１は突出部１３０に当接する。両引戸１２０，１２１を同時に全閉位置Ｐ１から全開位置Ｐ２に向って移動する場合、両引戸１２０，１２１がともに開口部２０の移動方向Ｍに沿って中央部でまで開いたときに、互いに指挟み防止位置Ｐ５になる。つまり、引戸１２０に対して引戸１２１が指挟み防止位置Ｐ５にあるとともに、引戸１２１に対して引戸１２０が指挟み防止位置Ｐ５にある状態であり、引戸１２０の後面１４に形成される操作用凹部１８の縁１８ｂが図１８と同様に引戸１２１の端面と前後方向に重なる状態である。
【０１４６】
本実施形態では、このような場合であっても、両引戸１２０，１２１の相対位置が、指挟み防止位置Ｐ５になるとストッパ５１と突出部１３０とが当接することによって、両引戸１２０，１２１の移動が停止される。
【０１４７】
このため、本実施形態では、第５の実施形態と同様の効果が得られる。また、例えば、両引戸１２０，１２１を挟んで前後から引戸１２０，１２１が同時に移動される場合であっても、両引戸１２０，１２１の移動を、指挟み防止位置Ｐ５で停止することができる。
【０１４８】
次に、本発明の第８の実施形態に係る指挟み防止装置を、図１９を用いて説明する。なお、第１の実施形態と同様の機能を有する構成は、第１の実施形態と同一の符号を付して説明を省略する。本実施形態では、引戸１０に対する移動方向Ｍに沿うストッパ装置５０の位置が、第１の実施形態に対して異なる。また、引戸１０に対するストッパ装置５０の位置が異なることに伴って、操作部７８の移動方向Ｍに沿う長さが異なる。他の構造は、第１の実施形態と同じである。
【０１４９】
図１９は、本実施形態の引戸１０と、その周囲を示す正面図である。図１９では、引戸１０は、ぶれ止めピン２６がストッパ５１に当接した状態を示している。図１９中、範囲Ｆ２３を拡大して示している。範囲Ｆ２３は、引戸１０においてストッパ装置５０の近傍を拡大して示している。
【０１５０】
図１９に示すように、本実施形態では、ストッパ装置５０は、引戸１０の移動方向Ｍの一端部１６ではなく、移動方向Ｍに沿って中央部に設けられている。これは、ぶれ止めピン２６が敷居２３上において戸袋２２の内側の部分に設けられているためである。
【０１５１】
操作部７８は、引戸１０の端面まで延びており、それゆえ、操作者が操作可能になっている。
【０１５２】
本実施形態では、第１の実施形態と同様の効果が得られる。また、本実施形態では、敷居２３に設けられる既存のぶれ止めピン２６を利用している。このため、ぶれ止めピン２６によっては、ストッパ装置５０は、引戸１０の端面の近傍に配置されていない場合もある。
【０１５３】
しかしながら、本実施形態のように、操作部７８を、引戸１０の端面まで延ばすことによって、言い換えると、引戸１０の外側から操作可能の位置まで操作部７８を延ばすことによって、ぶれ止めピン２６の位置に関わらず、ぶれ止めピン２６を利用することができる。
【０１５４】
なお、第１〜８の実施形態では、指挟み防止装置は、引戸１０の下端部に設けられている。具体的には、第１〜５の実施形態では、敷居２３に設けられるぶれ止めピン２６を利用するとともに引戸１０の下端部１１にストッパ装置５０を設けている。第６の実施形態では、戸袋２２の下端部に突出部１３０が設けられるとともに、引戸１０の下端部１１にストッパ装置５０が設けられている。第７の実施形態では、他方の引戸１２１の下端部１１に突出部１３０が設けられるとともに一方の引戸１２０の下端部にストッパ装置５０が設けられている。
【０１５５】
他の例としては、例えば、指挟み防止装置４０は、引戸１０の上端部に設けられてもよい。この具体的な例としては、第１〜５の実施形態では、ぶれ止めピン２６に代えて、第６の実施形態で説明したような突出部１３０を鴨居３０の鴨居溝部３１の上壁部３１ａに設ける。突出部１３０は、下方に向って突出する。引戸１０の上端面１０ａには、突出部１３０を収容する収容溝部１３１を設ける。そして、収容溝部１３１内にストッパ装置５０を設ける。このように、敷居２３を利用するのではなく、鴨居３０を利用してもよい。
【０１５６】
第６の実施形態では、戸袋２２の上端部に突出部１３０を設けるとともに、ストッパ装置５０を引戸１０の上端部１５に設けてもよい。第７の実施形態では、他方の引戸１２１の上端部に突出部１３０を設けるとともに、一方の引戸１２０の上端部に収容溝部１３１を設けて、収容溝部１３１内にストッパ装置５０を設ける。
【０１５７】
また、第１〜５の実施形態では、指挟み防止装置４０の一部として、既存のぶれ止めピン２６を利用した。他の例としては、ぶれ止めピン２６とは、別に、ストッパ５１に当接する突出部を設けてもよい。この場合、この突出部の位置は、ストッパ装置５０の位置に応じて決定することができる。
【０１５８】
言い換えると、ぶれ止めピン２６を利用する場合、ぶれ止めピン２６は既存であるため、ストッパ装置５０は、ぶれ止めピンの位置に応じて決定される。このため、第８の実施形態のように、操作部７８を長くするなどして対応する必要がある。しかしながら、ぶれ止めピン２６とは別途に突出部を用いることによって、ストッパ装置５０を、操作しやすい位置に設けることができる。なお、ぶれ止めピン２６を用いることによって、指挟み防止装置４０を引戸１０とその周囲に設ける場合、部品点数を削減することができる。
【０１５９】
第１〜５，８の実施形態では、敷居２３は、本発明で言う移動部の一例である。つまり、移動する引戸１０に対して、敷居２３は、相対的に移動する。第６の実施形態では、戸袋２２の前壁部２７は、本発明で言う移動部の一例である。つまり、移動する引戸１０に対して、戸袋２２の前壁部２７は、相対的に移動する。第７の実施形態では、引戸１２０に対して、引戸１２１が本発明で言う移動部の一例である。つまり、移動する引戸１２０に対して、引戸１２１は、相対的に移動する。また、上記のように、鴨居３０に突出部を設けるとともに、引戸の上端部に収容溝部とストッパ装置５０を設ける場合は、鴨居３０は、本発明で言う移動部の一例となる。
【０１６０】
また、第１〜３，６の実施形態では、指挟み防止位置Ｐ５は、一例として、操作用凹部１８の縁と戸袋２２の先端が前後方向に重なる位置とした。これは、本発明で言う指挟み防止位置の一例である。指挟み防止位置は、操作用凹部の形状に起因して変化する。例えば、第１〜８の実施形態では、操作用凹部１８の形状は、一例として、上下方向Ｖに長い長方形状である。このため、操作用凹部１８の周縁のうち、戸袋２２側の縁１８ａが戸袋２２の先端面と前後方向に重なる位置を、指挟み防止位置としている。要するに、指挟み防止位置は、引戸１０と戸袋２２との間に指を挟むおそれがない位置に設定されればよい。この場合、指挟み防止位置は、全開位置の近傍であることが好ましい。同様に、第４，５，７，８の実施形態であっても、指挟み防止位置Ｐ５は、一例である。
【０１６１】
また、第１〜８の実施形態では、第１の位置Ｐ３は、ストッパ５１の移動範囲のうちぶれ止めピン２６または突出部１３０に最も近づく位置である。これは、本発明で言う第１の位置の一例である。第１の位置は、引戸の移動時に移動方向に突出部に当接する位置であればよい。第１〜８の実施形態では、第２の位置Ｐ４は、ストッパ５１の移動範囲のうちぶれ止めピン２６または突出部１３０に対して最も離れる位置である。これは、本発明で言う第２の位置の一例である。第２の位置は、引戸の移動時に移動方向に突出部に当接しない位置であればよい。なお、第３の実施形態では、ストッパ５１がぶれ止めピン２６を乗り上げた状態では、下端面５１ａがぶれ止めピン２６に当接しており、ストッパ５１は第２の位置Ｐ４よりも低い位置にある。しかしながら、ストッパ５１は、この位置にあっても、移動方向にぶれ止めピン２６には当接していない。第３の実施形態では、この位置が、本発明で言う第２の位置の一例となる。
【０１６２】
第１〜８の実施形態では、ケース５２とカバー５３とブラケット５４とは、本発明で言うハウジングの一例を構成している。ケース５２とカバー５３とブラケット５４とは、引戸１０，１２０内でのストッパ５１の移動が阻害されることを防止し、スムーズな移動を維持する機能を有している。
【０１６３】
第１〜８の実施形態では、付勢用ばね５６は、本発明で言う付勢手段の一例である。他の例としては、例えば、コイルスプリングではなく、ゴムなどの弾性部材が用いられてもよい。
【０１６４】
第１〜８の実施形態では、本発明で言うガイド部の一例として、ガイド部８１が設けられている。ガイド部８１は、貫通孔６４を挟んで一方側にのみ設けえられている。他の例としては、ガイド部８１が、貫通孔６４を挟んで他方側にも設けられてもよい。
【０１６５】
第１〜８の実施形態では、ガイド用突出部８２とガイド用収容部８３とは、本発明で言う離間手段の一例を構成している。
【０１６６】
なお、第１〜８の実施形態では、引戸１０，１２０，１２１は、例えば、下端部に戸車が設けられる引戸である。他の例としては、引戸１０，１２０，１２１は、吊り戸式の引戸であってもよい。下端部に戸車が設けられる引戸である場合、第１の実施形態に記載したように、ストッパ装置５０が引戸１０の移動を阻害しないために、ストッパ装置５０の下端面は、引戸の下端面と面一、または、引戸１０の下端面よりも若干上方に位置する構造とした。上記のように、引戸が吊り戸式である場合は、引戸の下端は浮いている状態であるため、ストッパ装置５０の下端面は、引戸の下端面と面一、または、引戸１０の下端面よりも若干上方にある必要はない。例えば、引戸の移動を阻害しない範囲であれば、ストッパ装置５０の下端面は、引戸の下端面よりも下方にあってもよい。
【０１６７】
この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。さらに、異なる実施形態の構成を組み合わせてもよい。
【符号の説明】
【０１６８】
１０…引戸、１２…収容溝部、２２…戸袋（移動部）、２３…敷居、２４…敷居溝部、２６…ぶれ止めピン（突出部）、３０…鴨居、３１…鴨居溝部、４０…指挟み防止装置、５１…ストッパ、５２…ケース（ハウジング）、５３…カバー（ハウジング）、５４…ブラケット（ハウジング）、５６…付勢用ばね（付勢手段）、７８…操作部、８１…ガイド部（離間手段）、９０…保持用突出部（保持手段）、１００…傾斜面（乗り越え部）、１２０…引戸（移動部）、１２１…引戸（移動部）、１３０…突出部、１３１…収容溝部。
【図１】
2014118790.tif 000003
【図２】
2014118790.tif 000004
【図３】
2014118790.tif 000005
【図４】
2014118790.tif 000006
【図５】
2014118790.tif 000007
【図６】
2014118790.tif 000008
【図７】
2014118790.tif 000009
【図８】
2014118790.tif 000010
【図９】
2014118790.tif 000011
【図１０】
2014118790.tif 000012
【図１１】
2014118790.tif 000013
【図１２】
2014118790.tif 000014
【図１３】
2014118790.tif 000015
【図１４】
2014118790.tif 000016
【図１５】
2014118790.tif 000017
【図１６】
2014118790.tif 000018
【図１７】
2014118790.tif 000019
【図１８】
2014118790.tif 000020
【図１９】
2014118790.tif 000021